(57)【要約】  【課題】各連結部位の強度を強化させることができる組立式建築構造物の骨組連結装置を提供すること。  【解決手段】四角パイプよりなる柱と垂木などを構成する骨組１２の各連結部を、前後連結片１４、１６及びこれらを貫通する複数のボルト１８およびナット２０で連結固定させるように構成するにあたり、骨組１２と前後連結片１４、１６とは組立時に凹部２２および凸部３８、４０によって結合し、また前後連結片１４、１６の支持フランジ３０、３２が骨組１２を支えるようにして、前後連結片１４、１６の間にはそれぞれボルト１９およびナット２１で連結固定される少なくとも一つの支持管５０を形成することで、組立て作業が迅速かつ容易に行われることができるようにするとともに、連結部位の強度を補強することができる。  【選択図】  図４
2014518972.tif 000002
【特許請求の範囲】
【請求項１】
それぞれ四角パイプよりなる柱と垂木を構成する骨組（１２）の連結部を介して前後連結片（１４、１６）を結合してそれぞれ骨組（１２）及び連結片（１４、１６）の連結孔（２４、４２、４４）を貫通する複数のボルト（１８）およびナット（２０）で連結固定させ、また前後連結片（１４、１６）の間には骨組（１２）を避けてそれぞれ連結孔（４６、４８）と連通する複数の支持管（５０）を結合して連結孔（４６、４８）及び支持管（５０）を貫通する複数のボルト（１９）およびナット（２１）で連結させるように構成される組立式建築構造物の骨組連結装置において、前記各骨組（１２）が有する各面に補強用凹部（２２）を形成し、前後連結片（１４、１６）は骨組１２を支える支持フランジ（３０、３２）を介して骨組１２の側面部に当接する当接部（２６、２８）と、補強部（３４、３６）とを形成し、当接部（２６、２８）には骨組（１２）の補強用凹部（２２）と嵌合される凸部（３８、４０）を形成することを特徴とする組立式建築構造物の骨組連結装置。
【発明の詳細な説明】
【技術分野】
【０００１】
本発明は各種組立式建築構造物の施工時に骨組を連結するための連結装置に関する。
【背景技術】
【０００２】
一般的に、倉庫や倉庫型建物及び畜舎など各種組立式建築構造物は、柱と垂木などを構成する骨組をそれぞれ連結片とボルト・ナットを用いて連結固定した後、その外面にビニルを被せたり、各種外装材を形成したりして施工を仕上げている。
【０００３】
しかし、今まで組立式建築構造物の施工時に用いられる骨組は単純な板状であって、前後に分離構成される連結片及びこれらを貫通する複数のボルトおよびナットで連結固定させなければならないので、組立作業が非常に手間取る面倒な作業であり、しかも得ようとする建築構造物の強度に応じて別途の強度補強を要するようになるだけでなく、特に各連結部位は連結強度が非常に弱くて建築構造物の安全を保障することができなくなる。
【０００４】
すなわち、建築構造物を構成する柱と垂木及び横木などを、単純に一般的な四角パイプよりなる骨組を切断して使用する場合、所望の強度を得るためにはそれほど厚い鉄板よりなる骨組を使用しなければならないので、材料費が追加で必要とされ、さらに、自重が加重されることで取り扱い及び施工が容易に行われなくなる。
【０００５】
また、骨組間の連結手段である前後連結片は、骨組間の出会い角に応じた外形のみを異ならしめ、それぞれ骨組の側面との当接が行われるようにするために、板状とし、かつ、前後に分離構成して単純に前後連結片の間に、連結しようとする骨組の端部を結合し、それぞれ連結孔を貫通する複数のボルトおよびナットで連結固定させることで、組立時、連結しようとする骨組と、連結片が有する複数の連結孔とをそれぞれ互いに連通させ、ボルトおよびナットで連結固定させることは、非常に手間取る面倒な作業であるから、作業能率の顕著な低下をもたらす。
【０００６】
また、骨組の連結時に、その連結部位の強度補強のために、連結片の厚さを厚くし、また複数個のボルトおよびナットで連結固定しても、ボルトとナットの強い締め付け時に骨組の連結部位は前後連結片の間において歪みをもたらすことになり、また、単純に四角パイプよりなる骨組の連結部位は複数個の連結孔に起因する強度弱化を招いてしまい、このため、各連結部位は連結強度が非常に弱くなり、その結果、建築構造物の安全を保障できなくなるなどの多くの問題点がある。
【発明の概要】
【発明が解決しようとする課題】
【０００７】
本発明の目的は、所望の強度の骨組を得るための材料費及び自重を減らすことができ、また組立て作業が迅速かつ容易に行われることができ、特に、各連結部位の強度を強化させることができる組立式建築構造物の骨組連結装置を提供することにある。
【課題を解決するための手段】
【０００８】
上記目的を達成するための本発明による組立式建築構造物の骨組連結装置は、柱、垂木、及び横木などを構成する骨組の各面に補強用凹部を形成し、また骨組の連結手段である前後連結片は、骨組の凹部に嵌合される凸部と、骨組を支える支持フランジとを設けて複数のボルトとナットで連結させ、前後連結片の間には骨組を避けてそれぞれボルトとナットで連結固定される少なくとも一つの間隔保持用支持管を有するように構成することを特徴とする。
【発明の効果】
【０００９】
本発明によれば、柱、垂木、及び横木などを構成する骨組１２の各面には補強用凹部２２が形成されるので、骨組１２の強度補強のための材料費を節減することができ、さらなる軽量化により取り扱いが容易に行える。
【００１０】
また、骨組１２を連結する前後連結片１４、１６は、骨組の凹部２２との嵌合のための凸部３８、４０と、骨組１２を支える支持フランジ３０、３２とが形成されるので、骨組１２の連結作業時、前後連結片１４、１６が有する凸部３８、４０が骨組１２の凹部２２に嵌合されながら連結しようとする骨組１２の位置が決められるだけではく、ボルト１８の締結のための連結孔２４、４２、４４が自然に連通するため、組立て作業がより迅速かつ容易に行われ、作業能率を向上させることができるようになる。
【００１１】
さらに、各連結部位の前後連結片１４、１６は、それぞれ骨組１２の連結部位とは、凹部２２および凸部３８、４０によって係合されるとともに、その支持フランジ３０、３２が骨組１２の連結部位を支えるようになり、ひいては、前後連結片１４、１６の間には骨組１２を避けてそれぞれボルト１９およびナット２１によって連結固定される複数の間隔保持用支持管５０が形成されるので、連結部の強度を一層強化させることができ、これにより建築構造物に対する安全を保障してくれることができるなどの効果がある。
【図面の簡単な説明】
【００１２】
【図１】本発明による建築構造物の斜視図である。
【図２】本発明の斜視図である。
【図３】本発明の分解斜視図である。
【図４】本発明の腰部の断面構成図である。
【図５】本発明の他の実施例の斜視図である。
【図６】本発明他の実施例の分解斜視図である。
【発明を実施するための形態】
【００１３】
次に、本発明の望ましい実施例を添付した図面に基づいて詳しく説明する。ただし、本発明に用いられる骨組は用途に応じて位置及び出会い角を異ならしめるとともに、それに伴い、骨組の各連結部位を連結する前後連結片の外形も異ならしめるが、同一の機能を果たすので、同一の符号を付して説明し、関連した公知技術や機能に関する具体的な説明は、発明の要旨が曖昧にならないように省略する。
【００１４】
図１は、本発明によって組み立てられて構成された建築構造物の一例を示した斜視図であって、本発明は組立式建築構造物１０を構成する柱及び垂木などを構成する骨組１２の各連結部を介して前後連結片１４、１６を結合し、骨組１２と前後連結片１４、１６とはもちろんのこと、前後連結片１４、１６を複数のボルト１８、１９とナット２０、２１で連結固定させるように構成される。
【００１５】
図２は、本発明の斜視図であり、図３は本発明の分解斜視図であり、図４は本発明の腰部の断面構成図であって、柱及び垂木などを構成する各骨組１２は、四角パイプよりなり、所望の長さに切断してなるものであり、この時、四方の各面にはそれぞれ長手方向に沿って補強用凹部２２を形成し、また各骨組１２の両端連結部が有する凹部２２にはボルト１８を締結するための複数の連結孔２４が形成される。
【００１６】
一方、骨組１２を連結する前後連結片１４、１６は、それぞれ互いに対向する骨組１２の連結部と同じ外形を有する当接部２６、２８と、該当接部２６、２８とは支持フランジ３０、３２が介在する補強部３４、３６とを有するように構成される。
【００１７】
また、前後連結片１４、１６が有する当接部２６、２８には、骨組１２の凹部２２に緊密に結合される凸部３８、４０を長手方向に沿って形成し、その凸部３８、４０の両側にはそれぞれ骨組１２の連結孔２４と連通する複数の連結孔４２、４４を形成するとともに、当接部２６、２８の中央部および補強部３４、３６の両側には連結孔４６、４８を形成する。
【００１８】
さらに、骨組１２と前後連結片１４、１６とを連結するボルト１８は、骨組１２の凹部２２および前後連結片１４、１６の当接部２６、２８に形成され、それぞれ互いに連通する連結孔２４、４２、４４を貫通させてナット２０を締め付けて連結固定させるように構成され、前後連結片１４、１６を連結するボルト１９は、前後連結片１４、１６の当接部２６、２８の中央部および補強部３４、３６の両側に有する連結孔４６、４８の間に間隔保持のために挟持される支持管５０を貫通してナット２１を締めて固定させる。
【００１９】
図５は本発明の他の実施例の斜視図であり、図６は本発明の他の実施例の分解斜視図であって、本発明は左右の垂木を構成する骨組１２間の連結だけではなく、垂木および柱を構成する骨組１２間の連結時にも利用可能なことを示している。
【００２０】
すなわち、これも同様に垂木を構成する骨組１２と、柱を構成する骨組１２の連結部とを介して、前後連結片１４、１６を結合して骨組１２と前後連結片１４、１６とはもちろん、前後連結片１４、１６を複数のボルト１８、１９とナット２０、２１で連結固定させ、前後連結片１４、１６の間には支持管５０を形成し、与えられた間隔を保持するようにすれば良いので、垂木と柱との連結時にも利用可能になる。
【００２１】
本発明は組立式建築構造物１０の組立時、垂木と柱などに用いられる骨組１２が単純な四角パイプではなく、四角パイプの各面に補強用凹部２２が形成されるので、用いられる鉄板の厚さを減らして材料費の節減及び自重の減量によって取り扱いを容易にするとともに、凹部２２によって強度が強化された骨組１２が得られる。
【００２２】
また、本発明は左右の垂木を構成する骨組１２間はもちろんのこと、垂木を構成する骨組１２と、柱を構成する骨組１２との間の連結作業時に、互いに対向する骨組１２の連結部が有する凹部２２に前後連結片１４、１６の凸部３８、４０を嵌合させると、骨組１２は互いに所望する傾斜角が与えられるだけでなく、これに加えて、連通した連結孔２４、４２、４４を介してボルト１８を締結してナット２０を締め付ければよいので、組立て作業がより迅速かつ容易に行われるようになる。
【００２３】
ひいては、前後連結片１４、１６を用いた骨組１２の連結作業時、前後連結片１４、１６の間には別途のボルト１９とナット２１によって連結固定される複数の支持管５０が挟持され、与えられた間隔を保持可能になるので、骨組１２と前後連結片１４、１６とを連結するボルト１８とナット３０を強く締め付けても骨組１２の歪みを防止することができ、連結部の連結強度を高くすることができる。
【００２４】
また、前後連結片１４、１６は、骨組１２とはボルト１８およびナット２０による連結のほかに、左右に存在する凸部３８、４０がそれぞれ連結しようとする骨組１２の凹部２２と嵌合されて、荷重が作用する方向に支持力を発揮するようになることはいうまでもなく、支持フランジ３０、３２が骨組１２の連結部を支えるようになるので、連結部の連結強度を一層強化させることができるようになる。
【図１】
2014518972.tif 000003
【図２】
2014518972.tif 000004
【図３】
2014518972.tif 000005
【図４】
2014518972.tif 000006
【図５】
2014518972.tif 000007
【図６】
2014518972.tif 000008
【国際調査報告】
2014518972.tif 000009
2014518972.tif 000010
2014518972.tif 000011
2014518972.tif 000012